(57)【要約】【課題】複数の電子機器の各々を別個のスタンドを用いて支持する場合に比べて、設置面においてスタンドの設置に必要なスペースを低減することができる電子機器用スタンド及び映像表示システムを提供する。【解決手段】電子機器用スタンド１は、設置面Ｓに対して固定されるベース部２と、ベース部２に接続されて、ベース部２から延びて設けられるアーム部３（即ち、第１アーム部３ａ及び第２アーム部３ｂ）と、アーム部３を介してベース部２に接続されるとともに、複数の電子機器（即ち、撮像装置７及び投写型映像表示装置８及び音声出力装置９）が取り付けられる機械的構造（おねじ４ａ、ホルダ４ｂ）を有するヘッド部４とを備えている。【選択図】図１
2011107611.tif 000002
【特許請求の範囲】
【請求項１】
設置面に対して固定される固定部材と、
前記固定部材に接続されて、前記固定部材から延びて設けられる延出部材と、
前記延出部材を介して前記固定部材に接続されるとともに、複数の電子機器が取り付けられる機械的構造を有する被取付部材とを備える
ことを特徴とする電子機器用スタンド。
【請求項２】
前記延出部材の延出する態様を変化させることにより、前記固定部材に対する前記被取付部材の位置が変更可能であることを特徴とする請求項１に記載の電子機器用スタンド。
【請求項３】
前記複数の電子機器に電力を供給する電源部をさらに備え、
前記電源部が、前記複数の電子機器の各々に応じて電力を変換することにより、前記複数の電子機器の各々に互いに異なる電力が供給可能である
ことを特徴とする請求項１または２に記載の電子機器用スタンド。
【請求項４】
映像信号が入力される映像信号入力端子と、
前記映像信号入力端子に入力された映像信号に対して映像信号処理を施す映像信号処理部と、
前記映像信号処理が施された映像信号を出力する映像信号出力端子とをさらに備える
ことを特徴とする請求項１〜３のいずれか一項に記載の電子機器用スタンド。
【請求項５】
音声信号が入力される音声信号入力端子と、
前記音声信号入力端子に入力された音声信号に対して音声信号処理を施す音声信号処理部と、
前記音声信号処理が施された音声信号を出力する音声信号出力端子とをさらに備える
ことを特徴とする請求項１〜４のいずれか一項に記載の電子機器用スタンド。
【請求項６】
前記固定部材と前記延出部材とが分離可能であることを特徴とする請求項１〜５のいずれか一項に記載の電子機器用スタンド。
【請求項７】
前記延出部材と前記被取付部材とが分離可能であることを特徴とする請求項１〜６のいずれか一項に記載の電子機器用スタンド。
【請求項８】
前記被取付部材に取り付けられた前記電子機器と前記被取付部材に取り付けられない外部機器とを通信可能に接続する通信部をさらに備えることを特徴とする請求項１〜７のいずれか一項に記載の電子機器用スタンド。
【請求項９】
所定の機能を制御する制御部と、
ユーザーにより操作される操作部とをさらに備え、
前記制御部は、前記操作部の操作内容に基づいて、前記所定の機能が発揮される態様を制御する
ことを特徴とする請求項１〜８のいずれか一項に記載の電子機器用スタンド。
【請求項１０】
所定の機能を制御する制御部と、
外部からの信号を受信する信号受信部とを備え、
前記制御部は、前記信号受信部で受信した前記信号に基づいて、前記所定の機能が発揮される態様を制御する
ことを特徴とする請求項１〜８のいずれか一項に記載の電子機器用スタンド。
【請求項１１】
前記所定の機能に係る情報を表示する表示部を備えることを特徴とする請求項９または１０に記載の電子機器用スタンド。
【請求項１２】
前記機械的構造としておねじ及びホルダが前記被取付部材に設けられていることを特徴とする請求項１〜１１のいずれか一項に記載の電子機器用スタンド。
【請求項１３】
請求項１〜１２のいずれか一項に記載の電子機器用スタンドと、
前記電子機器として投写型映像表示装置とを備え、
前記電子機器用スタンドの前記被取付部材に取り付けられた前記投写型映像表示装置が、映像を投写して表示する
ことを特徴とする映像表示システム。
【請求項１４】
前記電子機器として撮像装置をさらに備え、
前記電子機器用スタンドの前記被取付部材に取り付けられた前記撮像装置が、物体を撮影して、前記投写型映像表示装置が、前記撮像装置によって撮影した物体を映像として表示する
ことを特徴とする請求項１３に記載の映像表示システム。
【発明の詳細な説明】
【技術分野】
【０００１】
本願発明は、電子機器を支持する電子機器用スタンド及び映像表示システムに関するものである。
【背景技術】
【０００２】
一般に、設置面に対して所定の高さで電子機器を保持するために、電子機器を支持する支持装置としてのスタンドを用いることが知られている。電子機器である投写型映像表示装置を支持するスタンドとしては、液晶プロジェクタ部を自在に任意の角度で支持する自在腕部と、この自在腕部を机の端部に回動可能に固定する固定部材とを有する装置が開示されている（例えば、特許文献１参照）。
【０００３】
また、電子機器である撮像装置を支持するスタンドとしては、設置支持のための支持ベースと、この支持ベースに基端部を回動可能に接続され且つ伸縮可能とされた支持アームを備える装置が開示されている（例えば、特許文献２参照）。
【先行技術文献】
【特許文献】
【０００４】
【特許文献１】特開平８−１６３４７６号公報
【特許文献２】特開平８−１８１８９３号公報
【発明の概要】
【発明が解決しようとする課題】
【０００５】
ところで、例えば、撮像装置で撮影した映像を投写型映像表示装置で表示する際に、撮像装置と投写型映像表示装置を別個のスタンドを用いて支持する場合には、スタンドの設置スペースが大きいという問題がある。即ち、複数の電子機器を支持するために、それぞれの電子機器に対応する別個のスタンドが必要な場合には、設置面においてスタンドの設置に必要なスペースが大きいという問題がある。
【０００６】
本発明は、こうした実情に鑑みてなされたものであり、その目的は、複数の電子機器の各々を別個のスタンドを用いて支持する場合に比べて、設置面においてスタンドの設置に必要なスペースを低減することができる電子機器用スタンド及び映像表示システムを提供することにある。
【課題を解決するための手段】
【０００７】
以下、上記目的を達成するための手段及びその作用効果について記載する。
請求項１に記載の発明は、設置面に対して固定される固定部材と、固定部材に接続されて、固定部材から延びて設けられる延出部材と、延出部材を介して固定部材に接続されるとともに、複数の電子機器が取り付けられる機械的構造を有する被取付部材とを備えることを特徴とする。
【０００８】
上記構成によれば、電子機器用スタンドは、延出部材を介して固定部材に接続される被取付部材を備え、被取付部材には、複数の電子機器（例えば、投写型映像表示装置と撮像装置）が取り付けられる。このため、複数の電子機器を本発明の電子機器用スタンドを用いて支持する場合には、複数の電子機器の各々を別個のスタンドを用いて支持する場合に比べて、設置面においてスタンドの設置に必要なスペースを低減することができる。
【０００９】
請求項２に記載の発明は、請求項１に記載の電子機器用スタンドであって、延出部材の延出する態様を変化させることにより、固定部材に対する被取付部材の位置が変更可能であることを特徴とする。
【００１０】
上記構成によれば、延出部材の延出する態様（例えば、延出する方向や長さ）を変化させることにより、固定部材に対する被取付部材の位置が変更可能である。このため、設置面に対する固定部材の位置を変更することなく、被取付部材に取り付けられた電子機器（例えば、投写型映像表示装置や撮像装置）の配置を変更することができる。
【００１１】
請求項３に記載の発明は、請求項１または２に記載の電子機器用スタンドであって、複数の電子機器に電力を供給する電源部をさらに備え、電源部が、複数の電子機器の各々に応じて電力を変換することにより、複数の電子機器の各々に互いに異なる電力が供給可能であることを特徴とする。
【００１２】
上記構成によれば、電子機器用スタンドは、複数の電子機器（例えば、投写型映像表示装置と撮像装置）の各々に応じて電力を変換する電源部を備え、複数の電子機器の各々に互いに異なる電力を供給可能である。従って、複数の電子機器の全てに同じ電力が供給されずに、複数の電子機器に応じた電力が供給できるため、複数の電子機器が適切に動作するために必要となる電力が異なる場合であっても、適切な電力を複数の電子機器に供給することができる。
【００１３】
請求項４に記載の発明は、請求項１〜３のいずれか一項に記載の電子機器用スタンドであって、映像信号が入力される映像信号入力端子と、映像信号入力端子に入力された映像信号に対して映像信号処理を施す映像信号処理部と、映像信号処理が施された映像信号を出力する映像信号出力端子とをさらに備えることを特徴とする。
【００１４】
上記構成によれば、電子機器用スタンドは、映像信号が入力される映像信号入力端子と、映像信号入力端子に入力された映像信号に対して映像信号処理を施す映像信号処理部と、映像信号処理が施された映像信号を出力する映像信号出力端子とを備える。このため、例えば、被取付部材に設けられた電子機器（例えば、投写型映像表示装置）において映像信号に所定の映像信号処理が施されない場合であっても、電子機器用スタンドが備える映像信号処理部においてその映像信号処理を施すことが可能である。即ち、映像信号処理について、電子機器の代替手段として本発明の電子機器用スタンドを用いることができ、機能が大幅に制限された携帯型の電子機器の支持手段として、本発明の電子機器用スタンドを好適に用いることができる。
【００１５】
請求項５に記載の発明は、請求項１〜４のいずれか一項に記載の電子機器用スタンドであって、音声信号が入力される音声信号入力端子と、音声信号入力端子に入力された音声信号に対して音声信号処理を施す音声信号処理部と、音声信号処理が施された音声信号を出力する音声信号出力端子とをさらに備えることを特徴とする。
【００１６】
上記構成によれば、電子機器用スタンドは、音声信号が入力される音声信号入力端子と、音声信号入力端子に入力された音声信号に対して音声信号処理を施す音声信号処理部と、音声信号処理が施された音声信号を出力する音声信号出力端子とを備える。このため、例えば、被取付部材に設けられた電子機器（例えば、音声出力装置）において音声信号に所定の音声信号処理が施されない場合であっても、電子機器用スタンドが備える音声信号処理部においてその音声信号処理を施すことが可能である。即ち、音声信号処理について、電子機器の代替手段として本発明の電子機器用スタンドを用いることができ、機能が大幅に制限された携帯型の電子機器の支持手段として、本発明の電子機器用スタンドを好適に用いることができる。
【００１７】
請求項６に記載の発明は、請求項１〜５のいずれか一項に記載の電子機器用スタンドであって、固定部材と延出部材とが分離可能であることを特徴とする。
上記構成によれば、固定部材と延出部材とが分離可能であるため、例えば、固定部材または延出部材を他の部品に交換したり、固定部材と延出部材との間に他の部品を追加したりすることが可能となる。
【００１８】
請求項７に記載の発明は、請求項１〜６のいずれか一項に記載の電子機器用スタンドであって、延出部材と被取付部材とが分離可能であることを特徴とする。
上記構成によれば、延出部材と被取付部材とが分離可能であるため、例えば、延出部材または被取付部材を他の部品に交換したり、延出部材と被取付部材との間に他の部品を追加したりすることが可能となる。
【００１９】
請求項８に記載の発明は、請求項１〜７のいずれか一項に記載の電子機器用スタンドであって、被取付部材に取り付けられた電子機器と被取付部材に取り付けられない外部機器とを通信可能に接続する通信部をさらに備えることを特徴とする。
【００２０】
上記構成によれば、電子機器用スタンドは、被取付部材に取り付けられた電子機器と被取付部材に取り付けられない外部機器（例えば、コンピュータ）とを通信可能に接続する通信部を備える。このため、本発明の電子機器用スタンドを用いて、電子機器と外部機器との連携が可能である。
【００２１】
請求項９に記載の発明は、請求項１〜８のいずれか一項に記載の電子機器用スタンドであって、所定の機能を制御する制御部と、ユーザーにより操作される操作部とをさらに備え、制御部は、操作部の操作内容に基づいて、所定の機能が発揮される態様を制御することを特徴とする。
【００２２】
上記構成によれば、所定の機能（例えば、電子機器への電力供給機能、入力された信号に対する信号処理機能、外部機器との通信機能）を制御する制御部は、ユーザーにより操作される制御部の操作内容に基づいて、所定の機能が発揮される態様を制御する。このため、所定の機能が発揮される態様を、ユーザーが手動により変更することができる。
【００２３】
請求項１０に記載の発明は、請求項１〜８のいずれか一項に記載の電子機器用スタンドであって、所定の機能を制御する制御部と、外部からの信号を受信する信号受信部とを備え、制御部は、信号受信部で受信した信号に基づいて、所定の機能が発揮される態様を制御することを特徴とする。
【００２４】
上記構成によれば、所定の機能（例えば、電子機器への電力供給機能、入力された信号に対する信号処理機能、外部機器との通信機能）を制御する制御部は、信号受信部で受信した外部からの信号に基づいて、所定の機能が発揮される態様を制御する。このため、所定の機能が発揮される態様を、外部から信号を送信して変更することができる。
【００２５】
請求項１１に記載の発明は、請求項９または１０に記載の電子機器用スタンドであって、所定の機能に係る情報を表示する表示部を備えることを特徴とする。
上記構成によれば、電子機器用スタンドは、所定の機能（例えば、電子機器への電力供給機能、入力された信号に対する信号処理機能、外部機器との通信機能）に係る情報を表示する表示部を備える。このため、例えば、電子機器への供給電圧、外部機器との通信状態等の設定情報や報知情報をユーザーに提示することができる。
【００２６】
請求項１２に記載の発明は、請求項１〜１１のいずれか一項に記載の電子機器用スタンドであって、機械的構造としておねじ及びホルダが被取付部材に設けられていることを特徴とする。
【００２７】
上記構成によれば、複数の電子機器が取り付けられる機械的構造として、おねじ及びホルダが被取付部材に設けられている。このため、例えば、おねじに電子機器である撮像装置のめねじを螺合させるとともに、ホルダで電子機器である小型の投写型映像表示装置を保持することにより、被取付部材に撮像装置と投写型映像表示装置を取り付けることができる。
【００２８】
請求項１３に記載の発明は、請求項１〜１２のいずれか一項に記載の電子機器用スタンドと、上記電子機器として投写型映像表示装置とを備え、電子機器用スタンドの被取付部材に取り付けられた投写型映像表示装置が、映像を投写して表示することを特徴とする。
【００２９】
上記構成によれば、映像表示システムは、請求項１〜１２のいずれか一項に記載の電子機器用スタンドを備えるため、請求項１〜１２にいずれか一項に記載の発明と同様の効果を得ることができる。また、電子機器用スタンドの被取付部材に取り付けられた投写型映像表示装置が、映像を投写して表示するため、大きな映像を表示することが可能である。
【００３０】
請求項１４に記載の発明は、請求項１３に記載の映像表示システムであって、上記電子機器として撮像装置をさらに備え、電子機器用スタンドの被取付部材に取り付けられた撮像装置が、物体を撮影して、投写型映像表示装置が、撮像装置によって撮影した物体を映像として表示することを特徴とする。
【００３１】
上記構成によれば、電子機器用スタンドの被取付部材に取り付けられた撮像装置が、物体を撮影して、投写型映像表示装置が、撮像装置によって撮影した物体を映像として表示する。このため、簡単な構成で、撮影した物体を大きな映像として表示することが可能である。
【発明の効果】
【００３２】
本発明によれば、複数の電子機器の各々を別個のスタンドを用いて支持する場合に比べて、設置面においてスタンドの設置に必要なスペースを低減することができる。
【図面の簡単な説明】
【００３３】
【図１】本発明の第１の実施形態に係る電子機器用スタンドを示す斜視図であって、その使用態様を示す斜視図。
【図２】同実施形態に係る電子機器用スタンドに内蔵された構成を示すブロック図。
【図３】本発明の第２の実施形態に係る電子機器用スタンドを示す斜視図。
【図４】同実施形態に係る電子機器用スタンドに内蔵された構成を示すブロック図。
【発明を実施するための形態】
【００３４】
（第１の実施形態）
以下、本発明を具体化した一実施形態について図面を参照しながら説明する。なお、各図は、電子機器用スタンド及びこれを用いた映像表示システムを説明する上で必要な構成のみを図示した模式図であり、その他の構成については図示及び説明を省略している。
【００３５】
図１に示すように、電子機器用スタンド１（以下、「スタンド１」）は、設置面Ｓに対して所定の高さで電子機器を支持する構成要素として、ベース部２とアーム部３とヘッド部４とを備えた支持装置である。
【００３６】
ベース部２は、設置面Ｓに対して固定される固定部材である。本実施形態においては、ベース部２は、設置面Ｓを構成する板状部材Ｓ１を挟む構造を有しており、板状部材Ｓ１の外縁端部を挟むことによりベース部２が設置面Ｓに固定される。このようにしてベース部２が固定されることにより、スタンド１が設置面Ｓに固定される。また、ベース部２は、連結部材である関節部５ａを介してアーム部３に接続されている。
【００３７】
アーム部３は、ヘッド部４を所定の位置で支持するために、ベース部２から所定方向に延びて設けられる延出部材である。本実施形態においては、スタンド１は複数のアーム部３を備えている。具体的には、スタンド１は、アーム部３として、ベース部２に関節部５ａを介して機械的に接続される第１アーム部３ａと、この第１アーム部３ａに連結部材である関節部５ｂを介して機械的に接続される第２アーム部３ｂとを備えている。また、アーム部３は、連結部材である関節部５ｃを介してヘッド部４に接続されており、本実施形態においては、第２アーム部３ｂが、関節部５ｃを介して機械的にヘッド部４に接続されている。即ち、第１アーム部３ａの一端にベース部２が接続されるとともに、第１アーム部３ａの他端に第２アーム部３ｂが接続されている。そして、第２アーム部３ｂの一端に第１アーム部３ａが接続されるとともに、第２アーム部３ｂの他端にヘッド部４が接続されている。
【００３８】
ヘッド部４は、複数の電子機器が取り付けられる機械的構造を有する被取付部材であって、アーム部３を介してベース部２に接続されている。本実施形態においては、ヘッド部４には、電子機器として撮像装置７及び投写型映像表示装置８及び音声出力装置９が取り付けられ、ヘッド部４は、これらの電子機器を取り付けるための機械的構造として、おねじ４ａやホルダ４ｂ等を有している。即ち、撮像装置７には一般的にめねじが形成されており、おねじ４ａは、撮像装置７に形成されためねじに螺合されるための機械的構造（１／４インチねじ）であって、ヘッド部４に突出して設けられている。また、ホルダ４ｂは、小型の投写型映像表示装置８を保持する部材であって、ヘッド部４に固定して設けられている。ヘッド部４に対するホルダ４ｂの固定手段としては、ねじを用いてもよく、ねじを用いずにホルダ４ｂとヘッド部４とが互いに係合し、ホルダ４ｂが固定されてもよい。また、音声出力装置９を取り付けるための機械的構造として、ヘッド部４にねじ穴（図示略）が設けられており、このねじ穴を利用して、音声出力装置９はねじ止めによりヘッド部４に取り付けられる。以上のように、ヘッド部４は、複数の電子機器が取り付けられるために、おねじ４ａやホルダ４ｂやねじ穴等の複数の機械的構造を有している。
【００３９】
以上のように、ベース部２、アーム部３、ヘッド部４の順に接続されたスタンド１は、アーム部３の延出する態様を変化させることにより、ベース部２に対するヘッド部４の位置が変更可能に構成されている。即ち、ベース部２と第１アーム部３ａとを接続する連結部材である関節部５ａが、所定量以上の力が関節部５ａに作用しない状態においてはその形状を保ち、所定量以上の力が関節部５ａに作用すると折れ曲がるように構成されている。このため、関節部５ａを折り曲げることによって、ベース部２に対して第１アーム部３ａが延びる方向（即ち、延出する方向）が変化する。このように、関節部５ａはアーム部３の角度調節機構を有しており、ベース部２に対して第１アーム部３ａの延出する方向を変化させることにより、第１アーム部３ａの延出する態様を変化させることができ、ベース部２に対するヘッド部４の位置が変更可能である。
【００４０】
また、本実施形態においては、第１アーム部３ａと第２アーム部３ｂとを接続する連結部材である関節部５ｂも、関節部５ａと同様に構成されているため、関節部５ｂを折り曲げることによって、第１アーム部３ａに対して第２アーム部３ｂが延びる方向が変化する。このように、関節部５ｂもアーム部３の角度調節機構を有しており、第２アーム部３ｂの延出する方向を変化させることにより、第２アーム部３ｂの延出する態様を変化させることができ、ヘッド部４の位置がより自由に変更可能である。
【００４１】
なお、本実施形態においては、さらに、第２アーム部３ｂとヘッド部４とを接続する連結部材である関節部５ｃも、関節部５ａ，５ｂと同様に構成されているため、関節部５ｃを折り曲げることによって、第２アーム部３ｂに対してヘッド部４が延びる方向が変化する。このようにしてヘッド部４の延出する方向を変化させることにより、ヘッド部４の延出する態様を変化させることができ、ヘッド部４の位置がより一層自由に変更可能である。
【００４２】
また、本実施形態においては、関節部５ａは、ベース部２及び第１アーム部３ａから取り外すことができ、関節部５ｃも、第２アーム部３ｂ及びヘッド部４から取り外すことができる。即ち、ベース部２と第１アーム部３ａとが分離可能であって、また、第２アーム部３ｂとヘッド部４とが分離可能である。さらに、関節部５ｂも、第１アーム部３ａ及び第２アーム部３ｂから取り外すことができ、第１アーム部３ａと第２アーム部３ｂとが分離可能である。
【００４３】
以上のような機械的構成を有するスタンド１によれば、角度調節機構を有する関節部５ａ，５ｂ，５ｃによりヘッド部４の配置を最適な配置とするための調節が可能であり、また、アーム部３やヘッド部４等の部品交換が可能である。
【００４４】
次に、図２を参照しながらスタンド１に内蔵される構成要素について説明する。
図２に示すように、スタンド１は、ベース部２やアーム部３に内蔵される構成要素として、主電源部６１、副電源部６２、映像信号処理部６３、音声信号処理部６４、通信部６５、制御部６６、記憶部６７、操作部６８、及び表示部６９を備えている。
【００４５】
主電源部６１は、コンセント（不図示）に差し込まれるプラグ６１ａ（図１参照）を介して、商用交流電源ＡＣから交流電力を得て、スタンド１に内蔵された各部に所定の電力を供給する電源ユニットである。即ち、主電源部６１は、副電源部６２及び映像信号処理部６３及び音声信号処理部６４及び制御部６６等の各部に、給電線Ｐ１を介して、それらの各部に応じた直流電力を供給する。本実施形態においては、主電源部６１はベース部２に内蔵されている。
【００４６】
副電源部６２は、主電源部６１から得られる電力を、ヘッド部４に取り付けられる各電子機器に応じた電力に変換して、その変換後の電力を複数の電子機器の各々に供給する電源ユニットである。即ち、スタンド１の例えば第２アーム部３ｂには、給電線Ｐ２を介して副電源部６２に接続された複数の電源出力端子３５，３６，３７（図２参照）が設けられており、操作部６８での操作内容に基づき、電源出力端子３５，３６，３７の各々から互いに異なる電力が出力できるように、副電源部６２が電力を変換する。このように副電源部６２が出力する電力が可変であるため、撮像装置７及び投写型映像表示装置８及び音声出力装置９の各々に互いに異なる電力を供給できる。従って、スタンド１は、ヘッド部４に取り付けられる電子機器へ電力を供給する電力供給機能を有している。本実施形態においては、副電源部６２は第１アーム部３ａに内蔵されている。
【００４７】
映像信号処理部６３は、スタンド１に入力された映像信号に対して、映像信号の増幅、分岐、Ａ／Ｄ変換、Ｄ／Ａ変換、走査変換等の各種映像信号処理を必要に応じて施す集積回路である。即ち、スタンド１の例えば第２アーム部３ｂには、映像信号が入力される映像信号入力端子３１と、映像信号が出力される映像信号出力端子３２とが設けられており、これらの端子３１，３２は、信号線Ｌ１を介して映像信号処理部６３に接続されている。そして、映像信号処理部６３は、スタンド１の映像信号入力端子３１に入力された映像信号に対して映像信号処理を施すとともに、映像信号処理が施された映像信号を映像信号出力端子３２から出力させる。従って、スタンド１は、スタンド１に入力された映像信号に対して映像信号処理を施す映像信号処理機能を有している。また、本実施形態においては、映像信号処理部６３は、映像信号を通信部６５から外部機器に出力できるように、信号線Ｌ３を介して通信部６５に接続されている。本実施形態においては、映像信号処理部６３は第１アーム部３ａに内蔵されている。
【００４８】
音声信号処理部６４は、スタンド１に入力された音声信号に対して、音声信号の増幅、分岐、Ａ／Ｄ変換、Ｄ／Ａ変換等の各種音声信号処理を必要に応じて施す集積回路である。即ち、スタンド１の例えば第２アーム部３ｂには、音声信号が入力される音声信号入力端子３３と、音声信号が出力される音声信号出力端子３４とが設けられており、これらの端子３３，３４は、信号線Ｌ２を介して音声信号処理部６４に接続されている。そして、音声信号処理部６４は、スタンド１の音声信号入力端子３３に入力された音声信号に対して音声信号処理を施すとともに、音声信号処理が施された音声信号を音声信号出力端子３４から出力させる。従って、スタンド１は、スタンド１に入力された音声信号に対して音声信号処理を施す音声信号処理機能を有している。また、本実施形態においては、音声信号処理部６４は、音声信号を通信部６５から外部機器に出力できるように、信号線Ｌ４を介して通信部６５に接続されている。本実施形態においては、音声信号処理部６４は第１アーム部３ａに内蔵されている。
【００４９】
通信部６５は、スタンド１のヘッド部４に取り付けられない外部機器に通信可能に接続される通信手段である。例えば、通信部６５は、有線通信手段として、ＲＳ−２３２Ｃの規格に準拠したコネクタ、ＬＡＮ（Local Area Network）の接続に使用されるＬＡＮ端子、ＵＳＢ（Universal Serial Bus）の規格に準拠したコネクタや、無線通信手段としての無線ＬＡＮモジュール等により構成される。通信部６５は、信号線Ｌ３，Ｌ４を介して映像信号処理部６３及び音声信号処理部６４に接続されており、映像信号処理部６３及び音声信号処理部６４から外部機器に映像信号及び音声信号を出力できるように構成されている。従って、スタンド１は、ヘッド部４に取り付けられない外部機器と通信する通信機能を有している。また、本実施形態においては、外部機器から映像信号処理部６３及び音声信号処理部６４を制御できるように構成されている。なお、本実施形態においては、通信部６５は有線通信手段であって、通信部６５と外部機器であるコンピュータ１０とがケーブルＣ１を介して接続されるように構成されている。本実施形態においては、通信部６５は第１アーム部３ａに内蔵されている。
【００５０】
制御部６６は、スタンド１に内蔵された副電源部６２及び映像信号処理部６３及び音声信号処理部６４及び通信部６５等の各部を制御する集積回路である。制御部６６は、記憶部６７に記憶されているプログラムと、ユーザーによる操作部６８の操作内容とに基づいて各部を制御する。具体的には、制御部６６は、信号線Ｌ５を介して副電源部６２及び映像信号処理部６３及び音声信号処理部６４及び通信部６５に接続されており、これらの各部を制御することにより、電子機器への電力供給機能、信号処理機能、外部機器との通信機能について、これらの機能が発揮される態様を制御する。また、制御部６６は、信号線Ｌ６を介して表示部６９に接続されており、表示部６９を制御することにより、表示部６９で表示させる情報を変化させる。本実施形態においては、制御部６６は第２アーム部３ｂに内蔵されている。
【００５１】
記憶部６７は、不揮発性メモリ等の読み書き可能な記憶媒体である。記憶部６７には、スタンド１が有する機能を発揮するためのプログラムが予め記憶されている。また、記憶部６７には、ユーザーが操作部６８を操作することによって設定された内容に係る設定情報が記憶される。本実施形態においては、記憶部６７は制御部６６とともに第２アーム部３ｂに内蔵されている。
【００５２】
操作部６８は、ユーザーがスタンド１を操作するための操作入力手段であって、指で押される各種のキーにより構成されている。例えば、操作部６８は、スタンド１が有する機能を発揮するか否かを切り替えるスイッチや、表示部６９に表示されるメニュー画面を操作するボタン等により構成されている。操作部６８がユーザーによって操作されることにより、操作部６８からその操作内容に係る情報が制御部６６に伝達される。本実施形態においては、操作部６８は第２アーム部３ｂに内蔵されている。
【００５３】
表示部６９は、例えばＬＥＤ（発光ダイオード）やＬＣＤ（液晶パネル）等により構成されている。表示部６９は、スタンド１が有する機能を発揮するために必要な設定情報や、ユーザーに報知すべき情報等の各種情報を表示する。即ち、上記のような情報が、ＬＥＤが発光したり、ＬＣＤが文字や記号を形成したりすることにより表示される。本実施形態においては、表示部６９は第２アーム部３ｂに内蔵されている。
【００５４】
以上のような構成要素をスタンド１は有しているため、スタンド１は、ヘッド部４に取り付けられる電子機器への電力供給機能、スタンド１に入力された信号に対する信号処理機能、ヘッド部４に取り付けられない外部機器との通信機能を有している。そして、表示部６９に表示される情報を参照可能なユーザーにより操作部６８が操作されることによって、ユーザーの操作部６８の操作内容に基づき、上記機能が発揮される態様を制御部６６が制御する。
【００５５】
なお、本実施形態においては、上述のごとく、副電源部６２や制御部６６等がアーム部３に内蔵されるのに対して、主電源部６１がベース部２に内蔵されているため、関節部５ａ等の保持力を確保し易い。即ち、スタンド１の各部に電源を供給する電源ユニットである主電源部６１は、副電源部６２等の各部に比べて比較的質量が大きく、主電源部６１が第１アーム部３ａに内蔵されている場合には、主電源部６１に作用する重力により関節部５ａが折れ曲がる可能性がある。このように、関節部５ａにより第１アーム部３ａ等を保持する保持力の不足が生じ、第１アーム部３ａを適切に支持固定できない不都合が生じる可能性がある。このような不都合を解消するためには関節部５ａを堅牢なものにするとコストが増加してしまうが、本実施形態においては、主電源部６１がベース部２に内蔵されているため、主電源部６１が第１アーム部３ａ等に内蔵される場合に比べて、関節部５ａが折れ曲がりにくい。従って、関節部５ａにより第１アーム部３ａ等を保持する保持力が確保し易く、コスト増加を抑制することができる。
【００５６】
また、本実施形態においては、主電源部６１のみをベース部２に内蔵し、副電源部６２や制御部６６等はアーム部３に内蔵しているため、各部を分散させてスタンド１に内蔵させることによって、ベース部２に副電源部６２等の全てが内蔵される場合に比べて、ベース部２の大型化を抑制している。特に、本実施形態においては、第１アーム部３ａに内蔵された映像信号処理部６３及び音声信号処理部６４に接続されている端子３１〜３４が、第２アーム部３ｂに設けられている。このため、ベース部２にこれらの端子３１〜３４が設けられている場合に比べて、短いケーブルＣ２を用いて、ヘッド部４に取り付けられる電子機器を端子３１〜３４に接続することができる。即ち、スタンド１と電子機器とを接続するケーブルＣ２の着脱が容易であり便利である。
【００５７】
同様に、第１アーム部３ａに内蔵された副電源部６２に接続されている電源出力端子３５〜３７が、第２アーム部３ｂに設けられている。このため、ベース部２にこれらの電源出力端子３５〜３７が設けられている場合に比べて、短い電源ケーブルＣ３（図２参照）を用いて、ヘッド部４に取り付けられる電子機器を電源出力端子３５〜３７に接続することができる。即ち、スタンド１と電子機器とを接続する電源ケーブルＣ３の着脱が容易であり便利である。
【００５８】
また、本実施形態においては、第２アーム部３ｂに、まとまった機能部である制御部６６及び記憶部６７及び操作部６８及び表示部６９が設けられているため、スタンド１をシステム化し、最適な分解及び組み立て性を実現している。なお、本実施形態においては、第１アーム部３ａに副電源部６２及び映像信号処理部６３及び音声信号処理部６４及び通信部６５が内蔵されているが、第２アーム部３ｂに副電源部６２及び映像信号処理部６３及び音声信号処理部６４及び通信部６５が内蔵されていてもよい。
【００５９】
なお、本実施形態においては、ベース部２と第１アーム部３ａとが分離可能であるため、給電線Ｐ１を構成するケーブルＣ４（図１参照）が、コネクタ（不図示）を用いて着脱可能にベース部２と第１アーム部３ａに接続される構成である。また、同様に、第１アーム部３ａと第２アーム部３ｂとが分離可能であるため、給電線Ｐ１，Ｐ２及び信号線Ｌ１，Ｌ２，Ｌ３を構成するケーブルＣ５（図１参照）が、コネクタ（不図示）を用いて着脱可能に第１アーム部３ａと第２アーム部３ｂに接続される構成である。なお、図１においては、電源ケーブルＣ３の図示は省略されている。なお、スタンド１とヘッド部４に取り付けられる電子機器とを接続するケーブルＣ２，Ｃ３を見映え良くまとめ、電子機器の取り付けを円滑に行えるように、スタンド１にクランプ部（図示略）が設けられていることが好ましい。
【００６０】
次に、本実施形態においてスタンド１のヘッド部４に取り付けられる電子機器である、撮像装置７及び投写型映像表示装置８及び音声出力装置９について説明する。これらの電子機器は、軽量のものが好ましく、例えば、近年急速に普及している２００ｇを下回る重さの携帯型のプロジェクタやデジタルムービーカメラを好適に用いることができる。
【００６１】
撮像装置７は、小型のデジタルカメラである。本実施形態においては、撮像装置７は、動画が撮影可能であって音声を拾うことができるビデオカメラ（ムービーカメラ）である。撮像装置７は、ケーブルＣ２を介して映像信号入力端子３１及び音声信号入力端子３３に接続されるとともに、ケーブルＣ３を介して電源出力端子３５に接続される。そして、撮像装置７で撮影した映像が電気信号として映像信号入力端子３１に入力されるとともに、撮像装置７で拾った音声が電気信号として音声信号入力端子３３に入力される構成となっている。
【００６２】
投写型映像表示装置８は、携帯型（小型）のプロジェクタであり、投写型映像表示装置８は、ケーブルＣ２を介して映像信号出力端子３２に接続されるとともに、ケーブルＣ３を介して電源出力端子３６に接続される。従って、投写型映像表示装置８には映像信号出力端子３２から出力された映像信号が入力され、投写型映像表示装置８は、映像信号出力端子３２から出力された映像信号に基づいて、映像を投写して表示する構成となっている。
【００６３】
音声出力装置９は、小型のスピーカーであり、音声出力装置９は、ケーブルＣ２を介して音声信号出力端子３４に接続されるとともに、ケーブルＣ３を介して電源出力端子３７に接続される。従って、音声出力装置９には音声信号出力端子３４から出力された音声信号が入力され、音声出力装置９は、音声信号出力端子３４から出力された音声信号に基づいて、音声を出力する構成となっている。
【００６４】
従って、本実施形態の映像表示システムによれば、機能が大幅に制限された小型の電子機器（即ち、撮像装置７及び投写型映像表示装置８及び音声出力装置９）を用いて映像表示システムを構成する場合であっても、スタンド１が信号処理機能を有しているため、別の映像信号処理機器及び音声信号処理機器（不図示）を不要とすることができる。従って、複数種類の電子機器をスタンド１に取り付けて支持することができ、スタンド１の内蔵機能により、電子機器の利便性の向上と、高度な省スペース設置を実現できる。
【００６５】
以上のように、本実施形態においては、スタンド１と、これに取り付けられた電子機器である撮像装置７及び投写型映像表示装置８及び音声出力装置９とによって映像表示システムが構成されている。
【００６６】
即ち、本実施形態における映像表示システムは、スタンド１と撮像装置７と投写型映像表示装置８とを備え、スタンド１のヘッド部４に取り付けられた撮像装置７が、撮影対象を撮影して、同様にスタンド１のヘッド部４に取り付けられた投写型映像表示装置８が、撮像装置７によって撮影した物体（撮影対象）を映像として表示する。なお、撮影対象が動物であれば、動物の活動範囲を制限する箱Ｂ等を用いて動物を四方から囲うことが好ましい。このように箱Ｂで撮影対象が四方から囲われる場合であっても、本実施形態に係るスタンド１の関節部５ａ等は、上述のごとくアーム部３の角度調節機構を有しているため撮影対象を上方から撮影できるようにヘッド部４の位置を変更することができる。
【００６７】
また、本実施形態における映像表示システムにおいては、音声出力装置９をさらに備え、スタンド１のヘッド部４に取り付けられた撮像装置７が、音声を拾って、同様にスタンド１のヘッド部４に取り付けられた音声出力装置９が、撮像装置７によって拾った音声を出力する構成となっている。
【００６８】
本実施形態によれば、以下の作用効果を得ることができる。
（１）スタンド１は、設置面Ｓに対して固定されるベース部２と、ベース部２に接続されて、ベース部２から延びて設けられるアーム部３（即ち、第１アーム部３ａ及び第２アーム部３ｂ）と、アーム部３を介してベース部２に接続されるとともに、複数の電子機器が取り付けられる機械的構造を有するヘッド部４とを備えている。従って、スタンド１は、アーム部３を介してベース部２に接続されるヘッド部４を備え、ヘッド部４には、複数の電子機器（即ち、投写型映像表示装置８と撮像装置７と音声出力装置９）が取り付けられる。このため、投写型映像表示装置８と撮像装置７と音声出力装置９を本発明のスタンド１を用いて支持する場合には、これらの電子機器の各々を別個のスタンド（不図示）を用いて支持する場合に比べて、設置面Ｓにおいてスタンドの設置に必要なスペースを低減することができる。
【００６９】
（２）アーム部３が延出する態様（即ち、延出する方向）を変化させることにより、ベース部２に対するヘッド部４の位置が変更可能である。このため、設置面Ｓに対するベース部２の位置を変更することなく、ヘッド部４に取り付けられた電子機器（即ち、投写型映像表示装置８や撮像装置７）の配置を変更することができる。
【００７０】
（３）スタンド１は、複数の電子機器（即ち、投写型映像表示装置８と撮像装置７と音声出力装置９）に電力を供給する副電源部６２を備え、副電源部６２が、複数の電子機器の各々に応じて電力を変換することにより、複数の電子機器の各々に互いに異なる電力が供給可能である。従って、投写型映像表示装置８と撮像装置７と音声出力装置９の全てに同じ電力が供給されずに、これらの電子機器に応じた電力が供給できるため、投写型映像表示装置８と撮像装置７と音声出力装置９が適切に動作するために必要となる電力が異なる場合であっても、適切な電力をこれらの電子機器に供給することができる。
【００７１】
（４）スタンド１は、映像信号が入力される映像信号入力端子３１と、映像信号入力端子３１に入力された映像信号に対して映像信号処理を施す映像信号処理部６３と、映像信号処理が施された映像信号を出力する映像信号出力端子３２とを備えている。このため、ヘッド部４に設けられた投写型映像表示装置８において映像信号に所定の映像信号処理が施されない場合であっても、スタンド１が備える映像信号処理部６３においてその映像信号処理を施すことが可能である。即ち、映像信号処理について、投写型映像表示装置８の代替手段として本発明のスタンド１を用いることができ、機能が大幅に制限された携帯型の投写型映像表示装置８の支持手段として、本発明のスタンド１を好適に用いることができる。
【００７２】
（５）スタンド１は、音声信号が入力される音声信号入力端子３３と、音声信号入力端子３３に入力された音声信号に対して音声信号処理を施す音声信号処理部６４と、音声信号処理が施された音声信号を出力する音声信号出力端子３４とを備えている。このため、ヘッド部４に設けられた音声出力装置９において音声信号に所定の音声信号処理が施されない場合であっても、スタンド１が備える音声信号処理部６４においてその音声信号処理を施すことが可能である。即ち、音声信号処理について、音声出力装置９の代替手段として本発明のスタンド１を用いることができ、機能が大幅に制限された携帯型の音声出力装置９の支持手段として、本発明のスタンド１を好適に用いることができる。
【００７３】
（６）ベース部２と第１アーム部３ａとが分離可能である。このため、ベース部２または第１アーム部３ａを他の部品に交換したり、ベース部２と第１アーム部３ａとの間に他の部品（例えば、同じように構成されたアーム部）を追加したりすることが可能となる。
【００７４】
（７）第２アーム部３ｂとヘッド部４とが分離可能である。このため、第２アーム部３ｂまたはヘッド部４を他の部品に交換したり、第２アーム部３ｂとヘッド部４との間に他の部品（例えば、同じように構成されたアーム部）を追加したりすることが可能となる。
【００７５】
（８）スタンド１は、ヘッド部４に取り付けられた電子機器（即ち、撮像装置７）とヘッド部４に取り付けられない外部機器（即ち、コンピュータ１０）とを通信可能に接続する通信部を備えている。このため、スタンド１を用いて撮像装置７とコンピュータ１０との連携が可能である。
【００７６】
（９）スタンド１は、所定の機能（即ち、電子機器への電力供給機能、入力された信号に対する信号処理機能、外部機器との通信機能）を制御する制御部６６と、ユーザーにより操作される操作部６８とを備えており、制御部６６は、操作部６８の操作内容に基づいて、所定の機能が発揮される態様を制御する。このため、電子機器への電力供給機能、入力された信号に対する信号処理機能、及び外部機器との通信機能が発揮される態様を、ユーザーが手動により変更することができる。
【００７７】
（１０）スタンド１は、所定の機能（即ち、電子機器への電力供給機能、入力された信号に対する信号処理機能、外部機器との通信機能）に係る情報を表示する表示部６９を備えている。このため、電子機器への供給電圧、外部機器との通信状態等の設定情報や報知情報をユーザーに提示することができる。
【００７８】
（１１）スタンド１は、複数の電子機器が取り付けられる機械的構造として、おねじ４ａ及びホルダ４ｂがヘッド部４に設けられている。このため、おねじ４ａに電子機器である撮像装置７のめねじを螺合させるとともに、ホルダ４ｂで電子機器である小型の投写型映像表示装置８を保持することにより、ヘッド部４に撮像装置７と投写型映像表示装置８を取り付けることができる。
【００７９】
（１２）本発明に係る映像表示システムは、スタンド１と、電子機器として投写型映像表示装置８とを備え、スタンド１のヘッド部４に取り付けられた投写型映像表示装置８が、映像を投写して表示する。このため、スタンド１のヘッド部４に取り付けられた投写型映像表示装置８が、映像を投写して表示するため、大きな映像を表示することが可能である。
【００８０】
（１３）本発明に係る映像表示システムは、電子機器として撮像装置７を備え、スタンド１のヘッド部４に取り付けられた撮像装置７が、物体を撮影して、投写型映像表示装置８が、撮像装置７によって撮影した物体を映像として表示する。このため、簡単な構成で、撮影した物体を大きな映像として表示することが可能である。
【００８１】
（第２の実施形態）
次に、上記第１の実施形態に係るスタンド１の構成を変更し、操作部６８及び表示部６９を一つにユニット化して、スタンド１本体と別個に設けた第２の実施形態について、図面を参照しながら説明する。なお、第１の実施形態と同様の構成部分については、同一の符号を付して、その説明を省略又は簡略化する。
【００８２】
図３に示すように、本実施形態においては、スタンド１は遠隔操作機器１ａを備えている。遠隔操作機器１ａは、操作部６８と表示部６９とを備えており、遠隔操作機器１ａとスタンド１は例えば赤外線を用いたリモコン信号によって通信可能な構成となっている。
【００８３】
即ち、表示部６９に表示される情報を参照可能なユーザーにより操作部６８が操作されることによって、ユーザーの操作部６８の操作内容に基づき、操作部６８の操作内容に係る情報が遠隔操作機器１ａから赤外線のリモコン信号として送信される。
【００８４】
そして、図３及び図４に示すように、本実施形態に係るスタンド１は、ベース部２やアーム部３に内蔵される構成要素として、主電源部６１や映像信号処理部６３等の他に、遠隔操作機器１ａから送信されたリモコン信号を受信する信号受信部３８を備えている。
【００８５】
信号受信部３８は、遠隔操作機器１ａとの通信を可能とする通信手段であって、本実施形態においては、赤外線を受光する受光モジュールにより構成されている。信号受信部３８は、遠隔操作機器１ａから赤外線として送信されたリモコン信号を受光して受信し、受信したリモコン信号（即ち、操作部６８の操作内容に係る情報）を、信号線Ｌ７を介して接続された制御部６６に伝達する。本実施形態においては、信号受信部３８は第２アーム部３ｂに内蔵されている。
【００８６】
本実施形態によれば、上記（１）等の作用効果だけでなく、以下の作用効果を得ることができる。
（１４）スタンド１は、所定の機能（即ち、電子機器への電力供給機能、入力された信号に対する信号処理機能、外部機器との通信機能）を制御する制御部６６と、外部からの信号を受信する信号受信部３８とを備え、制御部６６は、信号受信部３８で受信した信号に基づいて、所定の機能が発揮される態様を制御する。このため、電子機器への電力供給機能、入力された信号に対する信号処理機能、及び外部機器との通信機能が発揮される態様を、外部から信号を送信して変更することができる。
【００８７】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【００８８】
・上記第２の実施形態において、信号受信部３８をコネクタ等の有線通信手段により構成して、遠隔操作機器１ａと信号受信部３８との通信を有線通信により行うように構成してもよい。このように構成すれば、遠隔操作機器１ａと信号受信部３８との通信が赤外線を用いた無線通信により行われる場合に比べて、遠隔操作機器１ａから送信されるリモコン信号を信号受信部３８で確実に受信することができる。
【００８９】
・スタンド１が、内蔵する構成要素として、操作部６８及び操作とともに信号受信部３８を備える構成としてもよい。即ち、第１の実施形態と第２の実施形態を組み合わせてもよく、このような構成によれば、上記（９）と（１４）に記載の作用効果をともに得ることができる。
【００９０】
・スタンド１に内蔵される映像信号処理部６３や制御部６６等の各部について、それらの各部が設けられる箇所を適宜変更してもよい。即ち、例えば、副電源部６２をベース部２に内蔵させてもよく、映像信号処理部６３や通信部６５に第２アーム部３ｂに内蔵させてもよい。また、同様に、スタンド１に設けられる端子３１〜３７について、これらの端子３１〜３７が設けられる箇所を適宜変更してもよい。また、主電源部６１と副電源部６２を１つの電源部（図示略）により構成してもよい。
【００９１】
・スタンド１が備えるアーム部３は２つに限られない。即ち、スタンド１が備えるアーム部３の個数は適宜変更してもよく、スタンド１が１つのアーム部３を備えるように構成しても、３つ以上のアーム部３を備えるように構成してもよい。
【００９２】
・アーム部３を伸縮自在に構成してもよい。このように構成した場合には、アーム部３を伸縮させることにより、アーム部３が延出する態様を変化させることができ、このようにしても上記（２）に記載の作用効果を得ることができる。
【００９３】
・通信部６５に接続される外部機器は、コンピュータ１０に限られず、外部機器はコンピュータでなくてもよい。映像信号や音声信号を記録するレコーダーや、録画機能付きプレーヤー等であってもよい。
【００９４】
・設置面に対して固定されるベース部２は、板状部材Ｓ１を挟む構造を有するものに限られない。例えば、ベース部２が、スタンド１が自立するための複数の支持脚を備える構造を有していてもよい。
【００９５】
・電子機器が取り付けられるためにヘッド部４が有する機械的構造は、おねじ４ａやホルダ４ｂに限られない。即ち、撮像装置７や投写型映像表示装置８等の電子機器を取り付けることができる機械的構造であれば、どのような構造がヘッド部４に設けられていてもよい。
【００９６】
・スタンド１のヘッド部４に取り付けられる電子機器は、撮像装置７、投写型映像表示装置８、音声出力装置９に限られない。即ち、上記電子機器以外のものをヘッド部４に取り付けてもよい。
【符号の説明】
【００９７】
１…電子機器用スタンド、１ａ…遠隔操作機器、２…ベース部（固定部材）、３…アーム部（延出部材）、３ａ…第１アーム部、３ｂ…第２アーム部、４…ヘッド部（被取付部材）、５ａ，５ｂ，５ｃ…関節部、７…撮像装置、８…投写型映像表示装置、９…音声出力装置、１０…コンピュータ（外部機器）、３１…映像信号入力端子、３２…映像信号出力端子、３３…音声信号入力端子、３４…音声信号出力端子、３５，３６，３７…電源出力端子、３８…信号受信部、６１…主電源部、６２…副電源部、６３…映像信号処理部、６４…音声信号処理部、６５…通信部、６６…制御部、６７…記憶部、６８…操作部、６９…表示部、Ｃ１，Ｃ２，Ｃ３，Ｃ４，Ｃ５…ケーブル、Ｌ１，Ｌ２，Ｌ３，Ｌ４，Ｌ５，Ｌ６，Ｌ７…信号線、Ｐ１，Ｐ２…給電線。
【図１】
2011107611.tif 000003
【図２】
2011107611.tif 000004
【図３】
2011107611.tif 000005
【図４】
2011107611.tif 000006